【事件の表示】
　特願２００５−３４９７０５「再生システム、再生方法」拒絶査定不服審判事件〔平成１８年４月２７日出願公開、特開２００６−１１４２１６〕について、次のとおり審決する。
【結　論】
　本件審判の請求は、成り立たない。
【理　由】
１．手続の経緯・本願発明
　本件審判の請求に係る特許出願（以下、「本願」という。）は、平成１０年３月１３日に出願した特願平１０−６２７２４号の一部を平成１７年１２月２日に新たな特許出願としたものであって、平成１８年５月１８日付けの拒絶理由通知に対して、同年７月２４日付けで手続補正がされたが、同年８月２８日付けで拒絶査定がされ、これに対し、同年１０月５日付けで拒絶査定不服審判が請求されるとともに、同年１１月６日付けで手続補正がされた。そして、前置報告書の内容に基づく平成２０年８月１２日付けの審尋に対し、同年１０月１７日付けで回答書が提出され、さらに、当審からの平成２０年１２月２６日付け、及び、平成２１年５月２２日付けの各拒絶理由通知に対して、平成２１年２月２４日付け、及び、同年７月２７日付けで手続補正がされたものである。
　本願の請求項１に係る発明（以下、「本願発明」という。）は、平成２１年７月２７日付け手続補正書の特許請求の範囲の請求項１に記載された事項により特定される次のとおりのものと認める。
　
「【請求項１】
　情報サーバと、コンパクトディスクに記録されるオーディオデータを再生する再生端末装置とが、伝送路を介して通信可能とされる再生システムであって、
　上記再生端末装置は、
　上記コンパクトディスクに記録されるＴＯＣ情報に基づいて生成された、当該コンパクトディスクに記録されるオーディオデータに対応する識別情報を、上記伝送路を介して第１の情報サーバに送信する送信手段と、
　上記第１の情報サーバから送信されてくるＵＲＬアドレスを受信する受信手段と、
　上記受信手段で受信したＵＲＬアドレスを記憶する記憶手段と
　を有し、
　上記第１の情報サーバは、
　各識別情報に対応するアーティストの情報を示すポインタ情報としてのＵＲＬアドレスを記憶するデータベースと、
　上記伝送路を介して上記再生端末装置からの上記識別情報を受信する受信手段と、
　上記データベースに基づき、上記識別情報に対応するアーティストの情報の第２の情報サーバにアクセスするためのＵＲＬアドレスを生成するアドレス生成手段と、
　上記アドレス生成手段により生成されたＵＲＬアドレスを、上記再生端末装置に送信する送信手段と
　を有し、
　上記再生端末装置が、上記ＵＲＬアドレスによって示される第２の情報サーバから、上記オーディオデータに関連するアーティストの情報を含む関連情報を受信し、上記ＵＲＬアドレスによって示される情報サーバから取得した関連情報を格納し、上記受信手段により受信されたＵＲＬアドレスが、既にアクセスされており、対応する関連情報が格納されているとき、当該受信されたＵＲＬアドレスへのアクセスは不要と判断し、当該格納されている関連情報を表示させるように処理する
　再生システム。」
　
２．先願発明
　当審からの平成２０年１２月２６日付けの拒絶理由通知において引用された、本願の出願日前の特許出願であって本願の出願後に出願公開がされた特願平９−３４１２８号（特開平１０−２３３０８１号公報参照）の願書に最初に添付された明細書又は図面（以下、「先願明細書等」という。）には、コンピュータに関して以下の技術事項が記載されている。（下線は当審で付した。）
　
　（ａ）「【０００１】
【産業上の利用分野】本発明は、コンピュータに関し、特に、
再生媒体に関する関連情報を再生媒体の再生にあわせて表示などで告知する機能を有するコンピュータに関する
　（ｂ）「【００３３】次に、関連情報の自動呼び出し機能について説明する。かかる機能は、主として制御部２の関連情報の自動呼び出しプログラムで実施され、図５にそのフローチャートを示す。なお、かかるプログラムは図２で示すＣＤの自動起動プログラムと並列的に起動することも可能である。
【００３４】まず、ステップ５１にてディスクのセットがなされたか否かが検知される。より詳細には、ディスク８が読取り部７のＣＤ用のトレイに装填されると読取り部７からＣＤのセットを示す検出信号を検出することができるのでかかる検出信号を定期的に確認することでディスクのセットがなされたか否かが検知される。
【００３５】ディスクのセットがなされていない場合は今回の処理を終了する。他方、
ディスクのセットが検出された場合はステップ５２にてセットされたディスクの識別情報を取得する
【００３６】
ここでは、ＴＯＣ部の情報、ＣＤオーディオといったディスク内容を示す情報を識別情報とした場合について説明する。少なくともＴＯＣ部分の情報はＣＤの識別には必要であり、分、秒、フレーム番号のデータを本実施例では使用している。
　（ｃ）「【００４０】かかるデータベースも使用者の入力により作成することができるし、他の再生媒体（例えばデータベースを記憶したディスク）から得ることもできる。また、セットされた再生媒体自体がアドレス情報をさらに記憶することも可能である。この場合はキーワード並びにアドレスの検索処理は不要となる。さらに、
識別情報からアドレスを検索する検索部１７を有する他のサーバ１５にアクセスし、得られたアドレスをキーワードに対応させて順次保持していくことで図７のようなデータベースを構築してもよい
【００４１】対応するアドレスが取得されると（ステップ５６：ＹＥＳ）該当するアドレスの関連情報を取得しこれを表示する（ステップ６１）。ホームページのような関連情報は通信路１２を介して検索されたアドレスのサーバ１４にアクセスすることで取得できる。また、ネットワークを用いず、関連情報を記憶している再生媒体（例えば関連情報を記憶したＣＤ−ＲＯＭ）から対応するアドレスの関連情報を取得することも可能である。
【００４２】また、
関連情報としては、例えば音楽ＣＤの場合は、そのＣＤのタイトル、曲名の一覧、ジャケットに使用されている画像、歌詞、歌手のホームページ、といった情報や、歌手名、作詞家名、作曲家名、演奏者名、といったそのＣＤの作成に関係した人の情報などが適切である
　（ｄ）「【００５０】なお、本実施例では、識別情報からキーワードを検索し、さらにキーワードからアドレスを検索しているが、これは、他のサーバ１３、１５の一般的な検索機能を利用しやすいようにするためである。よって、一般的な検索に加えて識別情報から直接アドレスを検索する検索部をも有する他のサーバが一般的になれば、
キーワードを検索せずに直接アドレスを検索することも可能である
【００５１】かかる機能は、主として制御部２の関連情報の自動呼び出しプログラムで実施される。なお、かかるプログラムも図２で示すＣＤの自動起動プログラムと並列的に起動することが可能である。
【００５２】まず、ステップ９１にてディスクのセットがなされたか否かが検知される。この点はステップ５１と同様である。
【００５３】ディスクのセットがなされていない場合は今回の処理を終了する。他方ディスクのセットが検出された場合はステップ９２にて
セットされたディスクの識別情報を取得する
【００５４】次に、ステップ９３で
識別情報に対応するアドレスの検索が行われる
対応するアドレス（例えば音楽ＣＤの識別情報であればその歌手のホームページのアドレス）の検索がなされる
【００５５】かかるデータベースは使用者の入力により作成することができるし、他の再生媒体（例えばデータベースを記憶したディスク）から得ることもできる。また、セットされた再生媒体自体がアドレス情報をさらに記憶することも可能である。この場合はステップ９３のアドレスの検索は不要となる。さらに、
識別情報からアドレスを検索する検索部１９を有する他のサーバ１８にアクセスし、得られたアドレスを順次保持していくことで図１０のようなデータベースを構築してもよい
【００５６】
検索にてアドレスが得られた場合（ステップ９４：ＹＥＳ）は、該当するアドレスの関連情報を取得しこれを表示する（ステップ９９）。ホームページのような関連情報は、表示プログラムの一部であるブラウザープログラムを起動させ、通信路１２を介して、検索されたアドレスのサーバ１４にアクセスし、得られた情報を表示部１０で表示可能なように再構成することで表示部１０での表示を可能とする。
【００５７】また、対応するアドレスが取得できない場合は（ステップ９４：ＮＯ）、このままでは関連情報が表示できないのでコンピュータ１のデータベースより更に大きな
データベースを有し、且つ、識別情報からアドレスを検索する検索部１９を有する外部サーバ１８に識別情報を伝送する（ステップ９５）。外部サーバ１８は検索を行い対応するアドレスをコンピュータ１に伝送する。
【００５８】
対応するアドレスが取得された場合（ステップ９６：ＹＥＳ）はステップ９９にて該当する関連情報を表示する。
　
　上記摘示事項及び図面を総合勘案すると、先願明細書等には、次の発明（以下、「先願発明」という。）が記載されているものと認める。
「ＣＤに関する関連情報をＣＤの再生にあわせて表示などで告知する機能を有するコンピュータであって、
セットされたＣＤのＴＯＣ部の情報等の識別情報を取得し、
データベースを有し、且つ、識別情報からアドレスを検索する検索部を有する外部サーバに識別情報を伝送し、
外部サーバにおいて、識別情報に対応するアドレス（例えば音楽ＣＤの識別情報であればその歌手のホームページのアドレス）の検索が行われ、対応するアドレスがコンピュータに伝送され、
該検索されて得られたアドレスを保持し、該アドレスのサーバにアクセスし、得られた情報を表示部で表示可能なように再構成することで、ホームページのような関連情報（歌手のホームページといった情報など）の表示部での表示を可能とする
コンピュータ。」
　
３．対比
　本願発明を、先願発明と比較する。
　（１）先願発明における「ＣＤの再生」を行う「コンピュータ」及び「外部サーバ」は、本願発明における「コンパクトディスクに記録されるオーディオデータを再生する再生端末装置」及び「第１の情報サーバ」にそれぞれ相当する。そして、先願発明は、「コンピュータ」が「外部サーバに識別情報を伝送」する等の構成を有するものであるから、本願発明の「情報サーバと、コンパクトディスクに記録されるオーディオデータを再生する再生端末装置とが、伝送路を介して通信可能とされる再生システム」に相当する構成を備えている。
　
　（２）先願発明における「コンピュータ」（再生端末装置）は、「セットされたＣＤのＴＯＣ部の情報等の識別情報を取得し、」「外部サーバに識別情報を伝送」するものであるから、本願発明における「上記コンパクトディスクに記録されるＴＯＣ情報に基づいて生成された、当該コンパクトディスクに記録されるオーディオデータに対応する識別情報を、上記伝送路を介して第１の情報サーバに送信する送信手段」に相当する構成を有している。
　先願発明は、「外部サーバにおいて、識別情報に対応するアドレス（例えば音楽ＣＤの識別情報であればその歌手のホームページのアドレス）の検索が行われ、対応するアドレスがコンピュータに伝送され」るものであるから、先願発明における「コンピュータ」（再生端末装置）は、本願発明における「上記第１の情報サーバから送信されてくるＵＲＬアドレスを受信する受信手段」に相当する構成を有している。
　先願発明における「コンピュータ」（再生端末装置）は、「外部サーバにおいて」「該検索されて得られたアドレスを保持」するものであるから、本願発明における「上記受信手段で受信したＵＲＬアドレスを記憶する記憶手段」に相当する構成を有している。
　
　（３）先願発明における「識別情報に対応するアドレス（例えば音楽ＣＤの識別情報であればその歌手のホームページのアドレス）」及び「識別情報に対応するアドレス（例えば音楽ＣＤの識別情報であればその歌手のホームページのアドレス）の検索が行われ、」「該検索されて得られたアドレス」「のサーバ」は、本願発明における「各識別情報に対応するアーティストの情報を示すポインタ情報としてのＵＲＬアドレス」及び「上記識別情報に対応するアーティストの情報の第２の情報サーバ」に相当する。そして、先願発明における「外部サーバ」（第１の情報サーバ）は、「データベースを有し、」「識別情報に対応するアドレス（例えば音楽ＣＤの識別情報であればその歌手のホームページのアドレス）の検索が行われ」るものであるから、本願発明における「各識別情報に対応するアーティストの情報を示すポインタ情報としてのＵＲＬアドレスを記憶するデータベース」及び「上記データベースに基づき、上記識別情報に対応するアーティストの情報の第２の情報サーバにアクセスするためのＵＲＬアドレスを生成するアドレス生成手段」に相当する構成を有している。
　先願発明は、「コンピュータ」（再生端末装置）が「外部サーバに識別情報を伝送」するものであるから、先願発明における「外部サーバ」（第１の情報サーバ）は、本願発明における「上記伝送路を介して上記再生端末装置からの上記識別情報を受信する受信手段」に相当する構成を有している。
　先願発明における「外部サーバ」（第１の情報サーバ）は、「対応するアドレス」を「コンピュータに伝送」するものであるから、本願発明における「上記アドレス生成手段により生成されたＵＲＬアドレスを、上記再生端末装置に送信する送信手段」に相当する構成を有している。
　
　（４）先願発明における「コンピュータ」（再生端末装置）は、「該検索されて得られたアドレスを保持し、該アドレスのサーバにアクセスし、得られた情報を表示部で表示可能なように再構成することで、ホームページのような関連情報（歌手のホームページといった情報など）の表示部での表示を可能とする」ものであるから、先願発明は本願発明における「上記再生端末装置が、上記ＵＲＬアドレスによって示される第２の情報サーバから、上記オーディオデータに関連するアーティストの情報を含む関連情報を受信し、」「関連情報を表示させるように処理する」に相当する構成を備えている。
　
　すると、両者の一致点及び一応の相違点は次のとおりである。
（一致点）
「情報サーバと、コンパクトディスクに記録されるオーディオデータを再生する再生端末装置とが、伝送路を介して通信可能とされる再生システムであって、
　上記再生端末装置は、
　上記コンパクトディスクに記録されるＴＯＣ情報に基づいて生成された、当該コンパクトディスクに記録されるオーディオデータに対応する識別情報を、上記伝送路を介して第１の情報サーバに送信する送信手段と、
　上記第１の情報サーバから送信されてくるＵＲＬアドレスを受信する受信手段と、
　上記受信手段で受信したＵＲＬアドレスを記憶する記憶手段と
　を有し、
　上記第１の情報サーバは、
　各識別情報に対応するアーティストの情報を示すポインタ情報としてのＵＲＬアドレスを記憶するデータベースと、
　上記伝送路を介して上記再生端末装置からの上記識別情報を受信する受信手段と、
　上記データベースに基づき、上記識別情報に対応するアーティストの情報の第２の情報サーバにアクセスするためのＵＲＬアドレスを生成するアドレス生成手段と、
　上記アドレス生成手段により生成されたＵＲＬアドレスを、上記再生端末装置に送信する送信手段と
　を有し、
　上記再生端末装置が、上記ＵＲＬアドレスによって示される第２の情報サーバから、上記オーディオデータに関連するアーティストの情報を含む関連情報を受信し、関連情報を表示させるように処理する
　再生システム。」
　
（一応の相違点）
　本願発明の「再生端末装置」における関連情報の表示処理は、「上記ＵＲＬアドレスによって示される情報サーバから取得した関連情報を格納し、上記受信手段により受信されたＵＲＬアドレスが、既にアクセスされており、対応する関連情報が格納されているとき、当該受信されたＵＲＬアドレスへのアクセスは不要と判断し、当該格納されている関連情報を表示させるように処理する」構成を備えているのに対し、先願発明の「コンピュータ」における関連情報の表示処理には前記構成が特定されていない点。
　
４．判断
　上記一応の相違点について検討する。
　取得した外部情報を格納しておき、再度同じ外部情報にアクセスする場合に、当該格納された外部情報を再利用することは、周知技術であって（例えば、電子技術総合研究所彙報、第５９巻、第６号、平成７年６月２０日、第１乃至１７頁（特に第６頁左欄第８乃至１２頁等）、コンピュータソフトウェア、Ｖｏｌ．１４、Ｎｏ．１、平成９年１月１６日、第５５〜６３頁（特に第５８頁右欄第１５乃至１８行等）、情報処理学会研究報告、Ｖｏｌ．９６、Ｎｏ．１２、９６−ＤＰＳ−７４−３４、９６−ＧＷ−１５−３４、平成８年１月２６日、第１９７乃至２０２頁（特に第１９８頁右欄第２２乃至２７行等）等参照。）、外部情報を取得する構成において新たな作用効果を奏するものではないから、先願発明において、上記検索されて得られたアドレス（ＵＲＬアドレス）のサーバにアクセスして得られた情報（関連情報）を格納して、再度同じアドレスが検索で得られたときは、当該アドレスへのアクセスをせず、格納された情報を再利用すること、すなわち本願発明における「上記ＵＲＬアドレスによって示される情報サーバから取得した関連情報を格納し、上記受信手段により受信されたＵＲＬアドレスが、既にアクセスされており、対応する関連情報が格納されているとき、当該受信されたＵＲＬアドレスへのアクセスは不要と判断し、当該格納されている関連情報を表示させるように処理する」に実質的に相当する構成を備えることは、設計上の微差にすぎない。
　
　よって、本願発明は、先願発明と実質的に同一である。しかも、本願発明の発明者が先願発明の発明者と同一であるとも、また、本願出願の時に、その出願人が上記先願の出願人と同一であるとも認められないので、本願発明は、特許法第２９条の２の規定により特許を受けることができないものである。
　
５．むすび
　以上のとおり、本願の請求項１に係る発明は、特許法第２９条の２の規定により特許を受けることができない。
　したがって、本願は、その余の請求項について論及するまでもなく、拒絶すべきものである。
　
　よって、結論のとおり審決する。